(57)【特許請求の範囲】
【請求項１】
電源である電池、高電圧を発生する高電圧発生回路、その高電圧を印加される放電電極を筒状本体ケース内に内蔵した帯電プローブと、この帯電プローブを移動させてその放電電極の放電によって生ずるイオンで帯電させることにより微物を静電気で吸着する可撓性の微物吸着シートとを備えた微物吸着採取装置において、
前記高電圧発生回路をアースするため帯電プローブに基端を接続されるアース線と、
このアース線の先端に接続される可撓性の導電性シートとを備え、
前記放電電極は、金属製の電極保持板に複数の切り起こし部を等間隔に形成し、その各切り起こし部に放電針を圧入させることにより、複数の放電針を電極保持板に等間隔に保持したものであり、前記筒状本体ケースの胴部に形成された第１の放電口と、これよりも短い長さで前記筒状本体ケースの先端に形成された第２の放電口のそれぞれに対向させて前記筒状本体ケース内に設置されている
ことを特徴とする微物吸着採取装置。
【請求項２】
アース線が、これを巻き取るリールを備えているとともに、アース線の基端に、帯電プローブのジャックと接続するプラグを設け、また、アース線の先端に、導電性シートを挟む導電性クリップを設けていることを特徴とする請求項１に記載の微物吸着採取装置。
【発明の詳細な説明】
【技術分野】
【０００１】
本発明は、繊維片や毛髪や土砂等の微物を静電気により吸着して採取する微物吸着採取装置に関する。
【背景技術】
【０００２】
本出願人は、特許文献１（特公平８−７１１４号公報）に記載されているような微物吸着採取装置を提供している。この微物吸着採取装置は、高電圧電源等を内蔵した本体と、これとケーブルにて接続された帯電電極バーと、可撓性の微物吸着シート（吸着採取シート）とからなる。これを使用するには、帯電電極バーよりコロナ放電させながら微物吸着シートを走査するように帯電させることにより、微物吸着シートに微物を静電気にて吸着させる。
【０００３】
これを改良したものとして、電源である電池と、高電圧を発生する高電圧発生回路と、その高電圧を印加される放電電極とを筒状本体ケース内に内蔵した帯電プローブとすることで、携帯性及び操作性を良くするとともに、帯電モードと除電モードの切り替えもできるようにしたものを製品化し、犯罪捜査における微物採取に広く使用されている。
【０００４】
このような微物吸着採取装置では、高電圧を発生することから、アースをとる（接地する）必要があるが、使用場所（現場）によっては接地（グランド接続）するような箇所がなかったり、静電容量の大きいものに接続しても、充分な接地状態にできず、微物採取が不十分となったり、人体が帯電して電撃を受け、安全面でも問題があった。
【特許文献１】特公平８−７１１４号公報
【発明の開示】
【発明が解決しようとする課題】
【０００５】
本発明の第１の課題は、接地するような箇所がない場所（現場）でも、簡易な疑似接地状態にできる微物吸着採取装置を提供することにある。
第２の課題は、帯電プローブに内蔵される放電電極の構造を単純化して、コスト低減を図ることにある。
第３の課題は、アース線の取り扱いの至便性を向上させることにある。
【課題を解決するための手段】
【０００６】
請求項１に係る発明は、上記第１の課題を達成するため、電源である電池、高電圧を発生する高電圧発生回路、その高電圧を印加される放電電極を筒状本体ケース内に内蔵した帯電プローブと、この帯電プローブを移動させてその放電電極の放電によって生ずるイオンで帯電させることにより微物を静電気で吸着する可撓性の微物吸着シートとを備えた微物吸着採取装置において、高電圧発生回路をアースするため帯電プローブに基端を接続されるアース線と、このアース線の先端に接続される可撓性の導電性シートとを備えたものである。
【０００７】
本発明は、上記第２の課題も達成するため、さらに、帯電プローブ内の放電電極が、金属製の電極保持板に複数の切り起こし部を等間隔に形成し、その各切り起こし部に放電針を圧入させることにより、複数の放電針を電極保持板に等間隔に保持したものである。
また、本発明は、このような放電電極を、筒状本体ケースの胴部に形成された第１の放電口と、これよりも短い長さで筒状本体ケースの先端に形成された第２の放電口のそれぞれに対向させて筒状本体ケース内に設置したものである。
【０００８】
請求項２に係る発明は、上記第３の課題も達成するため、アース線が、これを巻き取るリールを備えているとともに、アース線の基端に、帯電プローブのジャックと接続するプラグを設け、また、アース線の先端に、導電性シートを挟む導電性クリップを設けている。
【発明の効果】
【０００９】
請求項１に係る発明によると、アース線の先端を可撓性の導電性シートに接続することにより、導電性シートから電荷を逃がして疑似接地状態にできるので、接地するような箇所がない場所（現場）でも、接地したと同等の効果が得られる。導電性シートは可撓性を有しているので、巻いて収納し、使用するときに設置面に応じた展開状態にでき、取り扱いが至便である。
【００１０】
本発明によると、帯電プローブの放電電極が、金属製の電極保持板に形成された多数の切り起こし部に放電針を圧入して保持したものであるので、放電電極の製造コストを低減できる。
【００１１】
本発明によると、上記のような放電電極を、筒状本体ケースの胴部に形成された第１の放電口と、これよりも短い長さで筒状本体ケースの先端に形成された第２の放電口のそれぞれに対向配置したので、帯電プローブを微物吸着シートに対して横向きにして移動させて広範囲に帯電（又は除電）できる横向き使用状態と、帯電プローブを縦向きにして移動させて狭い範囲を局所的に帯電（又は除電）できる縦向き使用状態との二様の使い分けができる。
【００１２】
請求項２に係る発明によると、アース線をリールに巻き取って任意の長さにして使用でき、また、アース線の基端のプラグにより帯電プローブとの接続・分離が容易であるとともに、アース線の先端の導電性クリップにより導電性シートとの接続・分離も容易である。
【発明を実施するための最良の形態】
【００１３】
次に、本発明の好適な実施例を図面に基づいて詳細に説明する。
【実施例】
【００１４】
本発明による微物吸着採取装置は、図１に示すように、帯電プローブＡと可撓性の微物吸着シートＢとアース線Ｃと可撓性の導電性シート（導電性マット）Ｄとを備えている。
【００１５】
帯電プローブＡは、図２に示すように、片手で持って操作できる円筒状の本体ケース１内の基端部を、電源である電池２を収納できる電池収納部３、ここより先の先端までを回路収納部４とし、電池収納部３の開口を着脱自在な尾端カバー１ａで閉じるようになっている。
【００１６】
回路収納部４内には、プラス・マイナスの高電圧を発生する高電圧発生回路を実装した回路基板５が設置されている。高電圧発生回路は、プラス・マイナスの一方の極性の高電圧のみを発生する帯電モードと、プラス・マイナス両方の極性の高電圧を同時に発生する除電モードとを、本体ケース１の胴部より突出する帯電・除電モード切替スイッチ６により切り替えることができる。帯電モードとすると、帯電表示用発光ダイオード６ａが点灯し、除電モードとすると、除電表示用発光ダイオード６ｂが点灯する。また、高電圧発生回路は、本体ケース１の胴部より突出する電源スイッチ７により、電池２からの電源をオン・オフできるようになっている。
【００１７】
回路基板５の先端部には、その平面に沿う第１の放電電極８と、その平面と直角な第２の放電電極９とが取り付けられ、これら放電電極８・９は回路基板５上で高電圧発生回路に電気接続されている。
【００１８】
第１の放電電極８は、図３及び図４にも示すように、本体ケース１の胴部の先端付近に設けられた第１の放電口１０に対向させてあるのに対し、第２の放電電極９は、本体ケース１の先端部に設けられた第２の放電口１１に対向させてある。第１の放電口１０は、本体ケース１の軸方向に長いが、第２の放電口１１は、軸方向とは直交する方向に長く、しかも、第１の放電口１０よりも短い。
【００１９】
第１及び第２の放電電極８・９は、いずれも、金属長板である電極保持板１２に複数本の放電針１３を等間隔に突設したものであるが、第１及び第２の放電口１０・１１の長さの違いに応じて、第１の放電電極８の方が第２の放電電極９よりも放電針１３の本数が多い。また、第１の放電電極８の放電針１３は第１の放電口１０の中心線に沿って配列しているのに対し、第２の放電電極９の放電針１３は第２の放電口１１の中心線に沿って配列しているが、電極保持板１２に対する複数本の放電針１３の保持構造は双方同じで、次のような保持構造になっている。
【００２０】
図５（Ａ）、（Ｂ）、（Ｃ）に１本の放電針１３についてだけ示してあるが、金属長板である電極保持板１２には、その一部分に平行な切り込みを入れ、そこを片側にＵ形に切り起こすことにより、その一側面に複数の切り起こし部１２ａが等間隔に形成されており、各切り起こし部１２ａに放電針１３を１本ずつ圧入することにより、複数本の放電針１３は電極保持板１２に等間隔に保持されている。
【００２１】
一方、本体ケース１の尾端側では、図２に示すように、高電圧発生回路のアース端子に接続されたアース用金属ロッド１４が電池収納部３を貫通しており、この金属ロッド１４に、尾端カバー１ａの外側においてアース用ジャック１５が着脱可能に保持されている。
【００２２】
図１に示したアース線Ｃは、これを巻き取るリール１６を備え、このリール１６に対し、アース線Ｃの基端に設けたプラグ１７側と、先端に設けた導電性クリップ１８側の両側に、それぞれ所要長さずつ自由に引き出すことができるようになっている。プラグ１７は、帯電プローブＡのジャック１５に着脱自在に接続でき、導電性クリップ１８は、導電性シートＤを着脱自在に挟むことができる。導電性クリップ１８は、これを摘んで開閉することから、安全のためにゴム等の弾性絶縁カバー１９で包被されている。
【００２３】
微物吸着シートＢは、静電気が帯電しやすい樹脂製フィルムである。
導電性シートＤは、塩化ビニール等の樹脂やゴム等の基材に導電性材料を含浸又は積層して全面に導電性を持たせたもので、巻き取ることができる柔軟な可撓性を有している。
【００２４】
本実施例の微物吸着採取装置にて微物を採取しようとする場合には、微物吸着シートＢを微物採取しようとする面に展開状態にして置くとともに、導電性シートＤを微物吸着シートＢより離れたところに展開状態にして置き、帯電プローブＡに接続したアース線１９の導電性クリップ１８にて導電性シートＤを挟む。これにより帯電プローブＡ内の高電圧発生回路は、導電性シートＤにより疑似接地状態となる。
【００２５】
帯電プローブＡを帯電モードとして、第１及び第２の放電電極８・９にプラス・マイナス一方の極性の高電圧を印加したまま、第１の放電口１０又は第２の放電口１１を微物吸着シートＢに非接触状態で向け、帯電プローブＡを微物吸着シートＢに沿って移動させてこれを帯電させる。微物は静電気により微物吸着シートＢに吸着される。
【００２６】
微物吸着シートＢに吸着された微物を除去するには、帯電プローブＡを除電モードとして、第１及び第２の放電電極８・９にプラス・マイナス両方の極性の高電圧を印加したまま、上記と同様の操作を行って、プラス・マイナス両方のイオンにより微物吸着シートＢを除電する。
【００２７】
なお、導電性シートＤは金網状シートであってもよい。
【図面の簡単な説明】
【００２８】
【図１】本実施例の微物吸着採取装置の全体斜視図である。
【図２】それにおける帯電プローブの全体断面図である。
【図３】その先端面図である。
【図４】その先端部の内部を示す斜視図である。
【図５】放電電極の部分図で、（Ａ）は分解斜視図、（Ｂ）は正面図、（Ｃ）は斜視図である。
【符号の説明】
【００２９】
Ａ  帯電プローブ
Ｂ  微物吸着シート
Ｃ  アース線
Ｄ  導電性シート
１  本体ケース
１ａ  尾端カバー
２  電池
３  電池収納部
４  回路収納部
５  回路基板
６  帯電・除電モード切替スイッチ
６ａ  帯電表示用発光ダイオード
６ｂ  除電表示用発光ダイオード
７  電源スイッチ
８  第１の放電電極
９  第２の放電電極
１０  第１の放電口
１１  第２の放電口
１２  電極保持板
１２ａ  切り起こし部
１３  放電針
１４  アース用金属ロッド
１５  アース用ジャック
１６  リール
１７  プラグ
１８  導電性クリップ
１９  弾性絶縁カバー
【図１】
0004773474.tif 000002
【図２】
0004773474.tif 000003
【図３】
0004773474.tif 000004
【図４】
0004773474.tif 000005
【図５】
0004773474.tif 000006